(57)【要約】【課題】  リボケーション発生後に視聴不能状態になることを防止することが可能な放送受信装置及び放送受信装置の制御方法を提供する。【解決手段】  放送受信装置および放送受信制御システムは、放送受信手段１０４と表示手段１０５と、音声再生手段１０４と、操作手段１０６と電力供給手段１０８とリボケーション発生の判定手段を備え、リボケーション発生の有無によって、表示方法を制御することによって、リボケーションによる視聴不能状態を防止する。【選択図】  図１
2009260790.tif 000002
【特許請求の範囲】
【請求項１】
放送受信手段と表示手段と、音声再生手段と、操作手段と電力供給手段とリボケーション発生の判定手段を備え、リボケーション発生の有無によって表示方法を制御することを特徴とする放送受信装置。
【請求項２】
前記、制御の方法として、視聴者がチャンネル操作を行った際に、リボケーション未発生時には地上デジタル放送を表示し、リボケーション発生時にはワンセグメント放送を表示することを特徴とする請求項１に記載の放送受信装置。
【請求項３】
前記、制御の方法として、視聴者が放送受信装置を起動した際に、リボケーション未発生時には地上デジタル放送を表示し、リボケーション発生時にはワンセグメント放送を表示することを特徴とする請求項１に記載の放送受信装置。
【請求項４】
前記、リボケーション発生時の表示方法として、ワンセグメント放送の全画面表示を行うことを特徴とする請求項１又は請求項２に記載の放送受信装置。
【請求項５】
前記、リボケーション発生時の表示方法として、ワンセグメント放送と共に、リボケーション発生のメッセージを表示することを特徴とする請求項１又は請求項２に記載の放送受信装置。
【発明の詳細な説明】
【技術分野】
【０００１】
本発明は、放送受信装置及びその制御システムに関するものである。
【背景技術】
【０００２】
日本の地上デジタルテレビジョン放送（ＩＳＤＢ-Ｔ）では1つのチャンネルの周波数帯域が１３のセグメントに分かれた構造になっている。そのうちの１２セグメントを用いて地上デジタル放送が、１セグメントを用いてワンセグメント放送が実施されている。地上デジタル放送にはスクランブルがかかっているが、ワンセグメント放送にはかかっていない。
【０００３】
現在、地上デジタル放送のコンテンツは社団法人電波産業会（ＡＲＩＢ）で規定された標準規格（非特許文献１）によって保護されている。例としては、特許文献１が挙げられる。この方式（以降、Ｂ−ＣＡＳ方式）では、それぞれの放送受信装置ごとに固有のＩＤが振られたＩＣカードを使用する。
Ｂ−ＣＡＳ方式では、放送のスクランブルの解除に用いるスクランブル鍵は、ＥＣＭ（Entitlement Control Message）をワーク鍵と呼ばれる鍵で復号することによって生成される。そして、ワーク鍵はＩＣカード内に格納されている。
【０００４】
ＩＣカードのようなハードウェアを用いずに、ソフトウェアによって保護を行う新たな方式が、非特許文献１の第３部  受信時の制御方式（コンテンツ保護法式）で追加規格化された（以下この規格を新RMP方式と呼ぶ）。
【０００５】
この方式では、ワーク鍵がＥＭＭ(Entitlement Management Message)によって送信され、その鍵を復号するための鍵（以降、デバイス鍵と呼ぶ）が放送受信装置内に格納される。デバイス鍵はＥＭＭによって更新することが可能であり、ＥＭＭを放送受信装置内に格納されている所定のアルゴリズムによって暗号化することで、デバイス鍵が生成される。デバイス鍵は放送受信装置の機種ごとに決まっており、ＥＭＭは放送事業者ごとに送信される。
【０００６】
新ＲＭＰ方式はソフトウェアによって保護を行うので、暗号が解読される危険性や、鍵が流出する危険性がある。放送のデコードにはスクランブル鍵、ワーク鍵、デバイス鍵の３つが必要である。保護が破られた際には、それらの鍵の世代を適宜更新することによって旧世代の鍵を無効にして、不正な受信機をシステムから排除する措置が取られる。これをリボケーション（リボーク）という。
【０００７】
ＥＭＭおよびＥＣＭは所定の周期で送信されている。リボケーションにおいては鍵の更新の移行期間が設定されているので、現在視聴中の番組では視聴不能時間は発生しない。
【０００８】
リボケーション発生時に視聴（受信）していなかった番組については新たな鍵を取得できていないので、その番組へとチャンネルを変更した場合、新たな鍵を取得できるまでの一定時間の間、視聴不能時間が発生する。リボケーション発生時に放送受信装置の電源が入っていなかったときも、新たな鍵を取得できていないので同様に視聴不能時間が発生する。
【特許文献１】特開平４−１３８７３５号広報
【非特許文献１】電波産業会標準規格「デジタル放送におけるアクセス制御方式」ＡＲＩＢ  ＳＴＤ−Ｂ２５  Ver5.1
【発明の開示】
【発明が解決しようとする課題】
【０００９】
以上のように、新ＲＭＰ方式における放送受信装置はリボケーション発生後に視聴不能状態になることが避けられなかった。
【００１０】
本発明ではリボケーション発生後の視聴不能状態の発生を防止することが出来る、放送受信装置及び放送受信装置の制御方法を提供することを目的とする。
【課題を解決するための手段】
【００１１】
放送受信手段と表示手段と、音声再生手段と、操作手段と電力供給手段とリボケーション発生の判定手段を備え、表示方法をリボケーション発生の有無によって制御することによって、リボケーションによる視聴不能状態を防止する手段を提供することを特徴とする。
【発明の効果】
【００１２】
本発明の放送受信装置は、放送受信手段と表示手段と、音声再生手段と、操作手段と電力供給手段とリボケーション発生の判定手段を備え、リボケーションが発生した後の表示方法を制御することによって、リボケーションによる視聴不能状態を防止することが出来る。
【発明を実施するための最良の形態】
【００１３】
次に、本発明の詳細を実施例の記述に従って説明する。
【実施例１】
【００１４】
以下、本発明による放送受信装置およびその制御システムの第１の実施形態を説明する。
【００１５】
図１は、本実施形態に係る放送受信装置及び制御システムの構成例を示すブロック図である。
【００１６】
１００は放送受信装置全体を表す。放送受信装置の例としてはプラズマテレビや液晶テレビなどの設置型の放送受信装置、カーナビゲーションシステムや携帯電話などの移動可能な装置などが挙げられる。
【００１７】
１０１は放送受信装置１００全体の制御および各種演算を行う演算制御部である。演算制御部は例えば、ＣＰＵとＲＡＭやＲＯＭあるいは、これらと同等の機能を有するマイコンなどの集積回路などで構成することができる。
【００１８】
１０２は放送受信装置１００の放送受信処理を行う放送受信部である。放送受信部は地上デジタル放送の受信を行うチューナ回路と、そのデコード処理を行うデコード回路と、鍵を保存しておくためのメモリで構成される。放送受信部１０２ではチャンネルの選局処理が行われる。放送受信部１０２で一度に受信できるチャンネルの数は、本発明においては、一つであることが望ましい。
【００１９】
１０３は放送受信装置１００のデコード部である。デコード部ＣＰＵとＲＡＭやＲＯＭあるいは、これらと同等の機能を有するマイコンなどの集積回路などで構成することができる。デコード部１０３において、スクランブルされた放送信号のデスクランブル処理および、デスクランブルに用いられるＥＭＭやＥＣＭについての処理、放送信号の映像と音声をデコードする処理が行われる。
【００２０】
１０４は放送受信装置１００の音声再生部である。音声再生部はスピーカーやヘッドフォン、外部音声出力機構、およびその制御回路で構成されている。
【００２１】
１０５は放送受信装置１００が受信した番組の表示処理を行う表示部である。
表示部はＣＲＴ、液晶パネル、有機ＥＬパネルなどで構成される。
【００２２】
１０６は放送受信装置１００の操作部である。操作部はボタンや十字キーなどで構成される。リモートコントローラーによって構成されていても良い。
【００２３】
１０７は放送受信装置１００の鍵記録部である。鍵記録部はフラッシュメモリやハードディスクなどの不揮発性メモリデバイスによって構成される。鍵記録部１０７には、放送のスクランブルの解除に用いられるデバイス鍵、ワーク鍵、スクランブル鍵が保存される。
【００２４】
１０８は放送受信装置１００に電力を供給する電源部である。電源部は電源制御回路で構成される。電池のような、電力供給源を含んでいても良い。
【００２５】
図２は本実施形態における放送受信装置およびその制御システムのフローチャートである。
【００２６】
ステップＳ２０１において、視聴者は放送受信装置１００において、地上デジタル放送のチャンネルＡの視聴を開始する。そして、デコード部１０３においてチャンネルＡのリボケーションが発生したかを判定する。発生した場合にはステップＳ２０２に移り、発生していない場合にはステップＳ２０１に戻る。
【００２７】
リボケーションが発生しているかどうかは放送波に付随してくるフラグを利用して判定する。また、ＥＭＭの更新期間を測定しておいて、その更新間隔を用いて、リボケーション発生の判定を行っても良い。ＥＭＭの更新間隔は通常は月単位であるが、リボケーション発生時には不正受信機を早急に除外するために、一日以下の短い期間で更新すると思われるからである。
【００２８】
ステップＳ２０２において、放送受信装置１００の演算制御部１０１は視聴者が操作部１０６を通じて、チャンネルＡとは違う地上デジタル放送のチャンネル（チャンネルＢとする）への選局を行ったかを判定する。行った場合にはステップＳ２０３に移り、行っていない場合にはステップＳ２０２に戻る。
【００２９】
ステップＳ２０３において、放送受信装置１００の演算制御部１０１はデコード部１０３がリボケーション発生後に鍵の更新処理を行ったかを判定する。既に鍵の更新処理を行っている場合にはステップＳ２０６に移り、行っていない場合にはステップＳ２０４に移る。
【００３０】
ステップＳ２０４において、放送受信装置１００の演算制御部１０１は、デコード部１０３と音声再生部１０４と表示部１０５に対して、チャンネルBのワンセグメント放送の表示を行うように指示を行う。その後、ステップＳ２０４に移る。
【００３１】
図３はワンセグメント放送の表示例である。３００は表示部１０５の表示内容全体を示している。３０１はワンセグメント放送の表示を行っている領域を示している。３０２は表示するメッセージの一例である。これらは表示の一例であるので、この例に限る物ではない。またメッセージを表示せずに、ワンセグメント放送を全画面表示にしても良い。
【００３２】
ステップＳ２０５において、放送受信装置１００のデコード部１０３はチャンネルＢの鍵の更新処理を行う。その後、ステップＳ２０６に移る。
【００３３】
ステップＳ２０６において、放送受信装置１００の演算制御部１０１は、デコード部１０３と音声再生部１０４と表示部１０５に対して、チャンネルＢの地上デジタル放送の表示を行うように指示を行う。
【００３４】
以上のように本実施例では、リボケーション発生の判定を行い、リボケーションが発生した後で、視聴者がチャンネル操作を行った際に表示方法を制御することによって、リボケーションによる視聴不能状態を防止することが出来る。
【実施例２】
【００３５】
以下、本発明による放送受信装置およびその制御システムの第２の実施形態を説明する。システム構成や基本的な制御フローは第１の実施形態と同一なので、差異についてのみ説明する。
【００３６】
図４は本実施形態における放送受信装置およびその制御システムのフローチャートである。
【００３７】
ステップＳ４０１において、視聴者が操作部１０６を通じて放送受信装置１０１を起動する。視聴者が電源部１０８に電力の供給を開始することによって、放送受信装置１０１を起動してもよい。起動時に表示指定されている番組をチャンネルＢとする。
【００３８】
ステップＳ４０２において、放送受信装置１００の演算制御部１０１はチャンネルＢでリボケーションが発生しているかを放送受信部１０２より受信されたデータと、鍵記録部１０７に記録されている鍵との照合によって判定する。鍵が未更新で、地上デジタル放送の番組視聴に鍵の更新が必要な場合はステップＳ４０３に移動する。そうでない場合はステップＳ４０５に移動する。
【００３９】
ステップＳ４０３はステップＳ２０５と同一である。
【００４０】
ステップＳ４０４はステップＳ２０６と同一である。
【００４１】
ステップＳ４０５はステップＳ２０７と同一である。
【００４２】
以上のように本実施例では、放送受信装置の起動時にリボケーション発生の判定を行い、表示方法を制御することによって、リボケーションによる視聴不能状態を防止することが出来る。
【図面の簡単な説明】
【００４３】
【図１】本発明の第１の実施形態に係る放送受信装置およびその制御システムの構成例を示すブロック図である。
【図２】本発明の第１の実施形態に係る放送受信装置およびその制御システムのフローチャートである。
【図３】本発明の第１の実施形態に係る放送受信装置およびその制御システムにおける表示例を示す図である。
【図４】本発明の第２の実施形態に係る放送受信装置およびその制御システムのフローチャートである。
【符号の説明】
【００４４】
１００  放送受信装置
１０１  演算制御部
１０２  放送受信部
１０３  デコード部
１０４  音声再生部
１０５  表示部
１０６  操作部
１０７  鍵記録部
１０８  電源部
【図１】
2009260790.tif 000003
【図２】
2009260790.tif 000004
【図３】
2009260790.tif 000005
【図４】
2009260790.tif 000006